(57)【要約】【課題】便利で迅速に固定構造のコンピュータケースを組み立て、消費者自身によるコンピュータ組み立ての楽しさを向上させうる、トップ・ボトムカバー及び前後壁が共に展開収束可能なコンピュータケース構造を提供すること。【解決手段】第１の板体と、その第１の側端が前記第１の板体の上端に枢着されるトップカバーと、その第１の側端が前記第１の板体の下段に枢着されるボトムカバーと、その第１の側端が前記第１の板体の前端に枢着される前壁と、その第１の側端が前記第１の板体の後端に枢着される後壁と、を備えるコンピュータケース構造において、各部材を展開し、前記前壁、後壁の第２の側端を前記トップカバー及び前記ボトムカバーの第２の側端にそれぞれ固定連結させ、コンピュータケースに組み立てること。【選択図】図１
2007280359.tif 000002
【特許請求の範囲】
【請求項１】
梱包時のコンピュータケースをコンパクト化すると共に、コンピュータケースの迅速な組立を便利にしうる、トップ・ボトムカバー及び前後壁が共に展開収束可能なコンピュータケース構造であって、
第１の板体と、
その第１の側端が前記第１の板体の上端に枢着されるトップカバーと、
その第１の側端が前記第１の板体の下段に枢着されるボトムカバーと、
その第１の側端が前記第１の板体の前端に枢着される前壁と、
その第１の側端が前記第１の板体の後端に枢着される後壁と、
を備えるコンピュータケース構造において、
各部材を展開し、前記前壁、後壁の第２の側端を前記トップカバー及び前記ボトムカバーの第２の側端にそれぞれ固定連結させ、コンピュータケースに組み立てる、
ことを特徴とするトップ・ボトムカバー及び前後壁が共に展開収束可能なコンピュータケース構造。
【請求項２】
前記トップカバーには、下方に延在する前、後枠縁が設けられ、
該トップカバーの前、後枠縁はそれぞれ第１の連接棒の一端に枢着され、
前記各第１の連接棒の他端は対応する第２の連接棒の一端に枢着され、
前記各第２の連接棒の他端は対応する第１のラグに枢着され、
前記これらの第１のラグはそれぞれ前記第１の板体の前、後端の上端に結合されることで、前記トップカバーの第１の側端を前記第１の板体の上端に枢着させる、
ことを特徴とする請求項１記載のトップ・ボトムカバー及び前後壁が共に展開収束可能なコンピュータケース構造。
【請求項３】
前記ボトムカバーには、上方に延在する前、後枠縁が設けられ、該ボトムカバーの前、後枠縁はそれぞれ第１の連接棒の一端に枢着され、
前記各第１の連接棒の他端は対応する第２の連接棒の一端に枢着され、前記各第２の連接棒の他端は対応する第１のラグに枢着され、
前記これらの第１のラグはそれぞれ前記第１の板体の前、後端の下端に結合されることで、前記ボトムカバーの第１の側端を前記第１の板体の下端に枢着させる、
ことを特徴とする請求項２記載のトップ・ボトムカバー及び前後壁が共に展開収束可能なコンピュータケース構造。
【請求項４】
前記前壁には、後方に延在する上、下枠縁が設けられ、
該前壁の上、下枠縁はそれぞれ第３の連接棒の一端に枢着され、
前記各第３の連接棒の他端は対応する第４の連接棒の一端に枢着され、
前記各第４の連接棒の他端は対応する第２のラグに枢着され、
前記これらの第２のラグはそれぞれ第１の板体の前端の上、下端に結合されることで、前記前壁の第１の側端を前記第１の板体の前端に枢着させる、
ことを特徴とする請求項１記載のトップ・ボトムカバー及び前後壁が共に展開収束可能なコンピュータケース構造。
【請求項５】
前記後壁には、前方に延在する上、下枠縁が設けられ、
該後壁の上、下枠縁はそれぞれ第３の連接棒の一端に枢着され、
前記各第３の連接棒の他端は対応する第４の連接棒の一端に枢着され、
前記各第４の連接棒の他端は対応する第２のラグに枢着され、
前記これらの第２のラグはそれぞれ前記第１の板体の後端の上、下端に結合されることで、前記後壁の第１の側端を前記第１の板体の後端に枢着させる、
ことを特徴とする請求項４記載のトップ・ボトムカバー及び前後壁が共に展開収束可能なコンピュータケース構造。
【請求項６】
前記前壁には、後方に延在する上、下枠縁が設けられ、
該前壁の上、下枠縁はそれぞれ第３の連接棒の一端に枢着され、
前記各第３の連接棒の他端は対応する第４の連接棒の一端に枢着され、
前記各第４の連接棒の他端は対応する第２のラグに枢着され、
前記これらの第２のラグはそれぞれ前記第１の板体の前端の上、下端に枢着されることで、前記前壁の第１の側端を前記第１の板体の前端に枢着させる、
ことを特徴とする請求項２記載のトップ・ボトムカバー及び前後壁が共に展開収束可能なコンピュータケース。
【請求項７】
前記前壁及び前記後壁の上端はそれぞれ前記トップカバーの下方に位置付けられると共に、前記前壁及び前記後壁の下端はそれぞれ前記ボトムカバーの上方に位置付けられ、前記前壁、前記後壁の第２の側端の上、下端をそれぞれ前記トップカバー及びボトムカバーの第２の側端の間に固定させることを特徴とする請求項１記載のトップ・ボトムカバー及び前後壁が共に展開収束可能なコンピュータケース構造。
【請求項８】
前記トップカバー及び前記ボトムカバーの前端はそれぞれ前記前壁の後方に位置付けさせると共に、前記トップカバー及びボトムカバーの後端をそれぞれ前記後壁の前方に位置付けさせ、前記トップカバー、前記ボトムカバーの第２の側端の前、後端をそれぞれ前記前壁及び前記後壁の第２の側端の間に固定させることを特徴とする請求項１記載のトップ・ボトムカバー及び前後壁が共に展開収束可能なコンピュータケース構造。
【請求項９】
前記第１の板体はまた折畳み可能な第１の支持枠体に枢着されることを特徴とする請求項１〜８の何れか一項に記載のトップ・ボトムカバー及び前後壁が共に展開収束可能なコンピュータケース構造。
【請求項１０】
前記第１の板体はまた折畳み可能な第２の支持枠体に枢着され、該第２の支持枠体は前記第１の支持枠体の下方に位置づけされることを特徴とする請求項９記載のトップ・ボトムカバー及び前後壁が共に展開収束可能なコンピュータケース構造。
【請求項１１】
前記第１の支持枠体には左、右仕切板が設けられ、前記左、右仕切板の上、下端はそれぞれ２つの枢着用片体に結合され、
前記左仕切板の枢着用片体及び前記右仕切板の枢着用片体の対向面の上、下端はそれぞれ連接棒の両端に枢着され、
前記左仕切板の枢着用片体の他端は対応する第３のラグに枢着され、前記第３のラグは前記第１の板体に結合される、
ことを特徴とする請求項９記載のトップ・ボトムカバー及び前後壁が共に展開収束可能なコンピュータケース構造。
【請求項１２】
前記第２の支持枠体には左、右仕切板が設けられ、該左、右仕切板の上、下端はそれぞれ２つの枢着用片体に結合され、
前記左仕切板の枢着用片体及び前記右仕切板の枢着用片体の対向面の上、下端はそれぞれ連接棒の両端に枢着され、該左仕切板の枢着用片体の他端は対応するもう１つの連接棒に枢着され、
前記もう１つの連接棒はそれぞれ対応する第４のラグに枢着され、前記これらの第４のラグは前記第１の板体に結合される、
ことを特徴とする請求項１０記載の二開閉可能なコンピュータケース構造。
【請求項１３】
前記トップカバー及び前記ボトムカバーの前、後端は前記前壁、前記後壁とそれぞれ対応する穴が設けられ、複数のボルトを前記穴に貫通させることにより、前記トップカバー及び前記ボトムカバーの前、後端をそれぞれ前記前壁、前記後壁に固定的に結合させることを特徴とする請求項１記載の二開閉可能なコンピュータケース構造。
【請求項１４】
前記トップカバーには下方に延在する左、右枠縁が設けられると共に、前記ボトムカバーには上方に延在する左、右枠縁が設けられ、
前記これらの左、右枠縁にはそれぞれ係止穴が設けられ、２つの側板にはそれぞれ前記係止穴と対応する係止爪が設けられ、
前記係止爪をそれぞれ対応する係止穴に係り止めることにより、前記２つの側板を前記トップカバー及び前記ボトムカバーの左、右側辺に結合させる、
ことを特徴とする請求項３記載のトップ・ボトムカバー及び前後壁が共に展開収束可能なコンピュータケース構造。
【請求項１５】
前記前壁の第１の側端及び第２の側端はそれぞれ第１の支持枠体及び第２の支持枠体に枢着されることを特徴とする請求項１〜８の何れか一項に記載の二開閉可能なコンピュータケース構造。
【請求項１６】
前記第１の板体と第３の支持枠体の四隅の間はそれぞれ連接棒により枢着されることを特徴とする請求項１５記載の二開閉可能なコンピュータケース構造。
【請求項１７】
前記第３の支持枠体は前記第２の支持枠体の下方に位置付けされていることを特徴とする請求項１５記載の二開閉可能なコンピュータケース構造。
【発明の詳細な説明】
【技術分野】
【０００１】
本発明はパーソナルコンピュータケースの構造に関し、特に組立型コンピュータケースの構造に関する。
【背景技術】
【０００２】
コンピュータケースは、マザーボード、ハードディスクドライブ、光ディスクドライブ、磁気ディスクドライブ及び電源供給器等の電子部品の装着に用いられる。通常のコンピュータケースは、大抵固定構造であるが、米国特許第６，９６１，２３６号に開示されたコンピュータシャーシ（Ｃｏｍｐｕｔｅｒ  ｃｈａｓｓｉｓ）及び台湾実用新案第Ｍ２５８５４４号に開示されたＡＴＸ及びＢＴＸ規格に適用可能なコンピュータケースのような組立構造もある。
【０００３】
また、コンピュータケースを幾つかの部分に分解し、必要時組み立てて一体化する構造として、例えば台湾特許公告第４６８８１１号に開示された組立型工業用コンピュータケース、台湾特許公告第４７４４２３号に開示された手工具不要の取り付け・取り外し可能なコンピュータケースの構造、台湾特許公告第４９０１２０号に開示された組立型コンピュータケース、台湾特許公告第５３１１４２号に開示された組立型コンピュータケースの構造等が挙げられる。
【０００４】
前記台湾特許公告第４７４４２３号に開示された手工具不要の取り付け・取り外し可能なコンピュータケースの構造は、フロント・リヤカバーとボトムカバーとを頭付きピンにより枢着結合させた後、２つの大き目の磁気ディスクドライブ枠板とフロント・リヤカバーを頭付きピンにより枢着結合させる。続いて小さ目の磁気ディスクドライブ蓋板を枠板に結合させた後、大き目のディスク枠板の下方に係り止める。また、四つのＬ字型取付け部材をボトムカバーの四隅に嵌着することによりフロント・リヤカバーに固定結合させる。
【０００５】
そしてマザーボードと電源供給器枠をそれぞれ前記枠組に取付、組立てた後、２つのサイドカバーを数本の頭付きネジで両サイドに係り止めることにより、コンピュータケースの組立作業を完了させる。コンピュータケースの部材を分解して梱包するため、倉庫と物置き棚の空間を余計に占めないメリットを有する。
【０００６】
上述した各種のコンピュータケースを複数の部材に分解する組立型コンピュータケースは、部材数が多く、組立にくいゆえに手間と時間がかかり、且つ多数の分散状態の部材を１つの梱包体に収納しにくい不具合がある。
【発明の開示】
【発明が解決しようとする課題】
【０００７】
コンピュータケースの収束や組立をより便利にし、輸送コストをさらに減少させると同時に保管空間を節約させるために、本発明がなされたものである。
【０００８】
本発明の主な目的は、便利で迅速に固定構造のコンピュータケースを組み立て、消費者自身によるコンピュータ組み立ての楽しさを向上させうる、トップ・ボトムカバー及び前後壁が共に展開収束可能なコンピュータケース構造を提供することにある。
【０００９】
本発明のもう１つの目的は、各部材がコンパクトな梱包体に収納し易く、輸送コストの削減と保管空間の節約に寄与しうる、トップ・ボトムカバー及び前後壁が共に展開収束可能なコンピュータケース構造を提供することにある。
【課題を解決するための手段】
【００１０】
本発明に係わる、梱包時のコンピュータケースをコンパクト化し、便利、迅速にコンピュータケースを組み立てうるようなトップ・ボトムカバー及び前後壁が共に展開収束可能なコンピュータケース構造は、下記部材、即ち、
第１の板体と、
その第１の側端が前記第１の板体の上端に枢着されるトップカバーと、
その第１の側端が前記第１の板体の下端に枢着されるボトムカバーと、
その第１の側端が前記第１の板体の前端に枢着される前壁と、
その第１の側端が前記第１の板体の後端に枢着される後壁と、
を備えており、各部材を展開し、前記前壁、前記後壁の第２の側端をそれぞれ前記トップカバー及び前記ボトムカバーの第２の側端に連結固定させて、コンピュータケースを形成するようにし、コンピュータケースを迅速で便利に組み立てるほか、各部材の折畳み・収束を便利にし、梱包時のコンピュータケースをコンパクト化しうる。
【００１１】
又、前記トップカバーには、下方に延在する前、後枠縁が設けられ、
該トップカバーの前、後枠縁はそれぞれ第１の連接棒の一端に枢着され、
前記各第１の連接棒の他端は対応する第２の連接棒の一端に枢着され、
前記各第２の連接棒の他端は対応する第１のラグに枢着され、
前記これらの第１のラグはそれぞれ前記第１の板体の前、後端の上端に結合されることで、前記トップカバーの第１の側端を前記第１の板体の上端に枢着させる、
ことが好適である。
【００１２】
又、前記ボトムカバーには、上方に延在する前、後枠縁が設けられ、該ボトムカバーの前、後枠縁はそれぞれ第１の連接棒の一端に枢着され、
前記各第１の連接棒の他端は対応する第２の連接棒の一端に枢着され、前記各第２の連接棒の他端は対応する第１のラグに枢着され、
前記これらの第１のラグはそれぞれ前記第１の板体の前、後端の下端に結合されることで、前記ボトムカバーの第１の側端を前記第１の板体の下端に枢着させる、
ことが好適である。
【００１３】
又、前記前壁には、後方に延在する上、下枠縁が設けられ、
該前壁の上、下枠縁はそれぞれ第３の連接棒の一端に枢着され、
前記各第３の連接棒の他端は対応する第４の連接棒の一端に枢着され、
前記各第４の連接棒の他端は対応する第２のラグに枢着され、
前記これらの第２のラグはそれぞれ第１の板体の前端の上、下端に結合されることで、前記前壁の第１の側端を前記第１の板体の前端に枢着させる、
ことが好適である。
【００１４】
又、前記後壁には、前方に延在する上、下枠縁が設けられ、
該後壁の上、下枠縁はそれぞれ第３の連接棒の一端に枢着され、
前記各第３の連接棒の他端は対応する第４の連接棒の一端に枢着され、
前記各第４の連接棒の他端は対応する第２のラグに枢着され、
前記これらの第２のラグはそれぞれ前記第１の板体の後端の上、下端に結合されることで、前記後壁の第１の側端を前記第１の板体の後端に枢着させる、
ことが好適である。
【００１５】
又、前記前壁には、後方に延在する上、下枠縁が設けられ、
該前壁の上、下枠縁はそれぞれ第３の連接棒の一端に枢着され、
前記各第３の連接棒の他端は対応する第４の連接棒の一端に枢着され、
前記各第４の連接棒の他端は対応する第２のラグに枢着され、
前記これらの第２のラグはそれぞれ前記第１の板体の前端の上、下端に枢着されることで、前記前壁の第１の側端を前記第１の板体の前端に枢着させる、
ことが好適である。
【００１６】
又、前記前壁及び前記後壁の上端はそれぞれ前記トップカバーの下方に位置付けられると共に、前記前壁及び前記後壁の下端はそれぞれ前記ボトムカバーの上方に位置付けられ、前記前壁、前記後壁の第２の側端の上、下端をそれぞれ前記トップカバー及びボトムカバーの第２の側端の間に固定させることが好適である。
【００１７】
又、前記トップカバー及び前記ボトムカバーの前端はそれぞれ前記前壁の後方に位置付けさせると共に、前記トップカバー及びボトムカバーの後端をそれぞれ前記後壁の前方に位置付けさせ、前記トップカバー、前記ボトムカバーの第２の側端の前、後端をそれぞれ前記前壁及び前記後壁の第２の側端の間に固定させることが好適である。
【００１８】
又、前記第１の板体はまた折畳み可能な第１の支持枠体に枢着されることが好適である。
【００１９】
又、前記第１の板体はまた折畳み可能な第２の支持枠体に枢着され、該第２の支持枠体は前記第１の支持枠体の下方に位置づけされることが好適である。
【００２０】
又、前記第１の支持枠体には左、右仕切板が設けられ、前記左、右仕切板の上、下端はそれぞれ２つの枢着用片体に結合され、
前記左仕切板の枢着用片体及び前記右仕切板の枢着用片体の対向面の上、下端はそれぞれ連接棒の両端に枢着され、
前記左仕切板の枢着用片体の他端は対応する第３のラグに枢着され、前記第３のラグは前記第１の板体に結合される、
ことが好適である。
【００２１】
又、前記第２の支持枠体には左、右仕切板が設けられ、該左、右仕切板の上、下端はそれぞれ２つの枢着用片体に結合され、
前記左仕切板の枢着用片体及び前記右仕切板の枢着用片体の対向面の上、下端はそれぞれ連接棒の両端に枢着され、該左仕切板の枢着用片体の他端は対応するもう１つの連接棒に枢着され、
前記もう１つの連接棒はそれぞれ対応する第４のラグに枢着され、前記これらの第４のラグは前記第１の板体に結合される、
ことが好適である。
【００２２】
又、前記トップカバー及び前記ボトムカバーの前、後端は前記前壁、前記後壁とそれぞれ対応する穴が設けられ、複数のボルトを前記穴に貫通させることにより、前記トップカバー及び前記ボトムカバーの前、後端をそれぞれ前記前壁、前記後壁に固定的に結合させることが好適である。
【００２３】
又、前記トップカバーには下方に延在する左、右枠縁が設けられると共に、前記ボトムカバーには上方に延在する左、右枠縁が設けられ、
前記これらの左、右枠縁にはそれぞれ係止穴が設けられ、２つの側板にはそれぞれ前記係止穴と対応する係止爪が設けられ、
前記係止爪をそれぞれ対応する係止穴に係り止めることにより、前記２つの側板を前記トップカバー及び前記ボトムカバーの左、右側辺に結合させる、
ことが好適である。
【００２４】
又、前記前壁の第１の側端及び第２の側端はそれぞれ第１の支持枠体及び第２の支持枠体に枢着されることが好適である。
【００２５】
又、前記第１の板体と第３の支持枠体の四隅の間はそれぞれ連接棒により枢着されることが好適である。
【００２６】
さらに、前記第３の支持枠体は前記第２の支持枠体の下方に位置付けされていることが好適である。
【発明を実施するための最良の形態】
【００２７】
本発明の他の目的、効果につき、以下添付図面及び実施例を参照しながら詳しく説明する。
図１、２Ａ、２Ｂを参照されたい。本発明のトップ・ボトムカバー及び前後壁が共に展開収束可能なコンピュータケース構造の実施例は、梱包時のコンピュータケースをコンパクト化し、コンピュータケースの迅速な組立に利便性を提供するものである。本実施例のコンピュータケース１０は、マザーボードを装着するための第１の板体１１と、四周にそれぞれ下方に延在する前、後枠縁１２１、１２２及び左、右枠縁１２３、１２４が設けられたトップカバー１２と、四周にそれぞれ上方に延在する前、後枠縁１３１、１３２及び左、右枠縁１３３、１３４が設けられたボトムカバー１３、を備える。そのうち、トップカバー１２の前、後枠縁１２１、１２２はそれぞれ第１の連接棒１２５の一端に枢着され、第１の連接棒１２５の他端は第２の連接棒１２６の一端に枢着され、第２の連接棒１２６の他端は対応する第１のラグ１１１に枢着され、２つの第１のラグ１１１がそれぞれ第１の板体１１の前、後端の上端に結合されることで、トップカバー１２の左側端を第１の板体１１の上端に枢着させ、そして第１の板体の上端がトップカバー１２の左枠縁１２３の内側に位置付けさせる。ボトムカバー１３の左側端は第１の板体１１の下端に枢着され、且つ第１の板体１１の下端はボトムカバー１３の左枠縁１３３の内側に位置付けさせる。ボトムカバー１３と第１の板体１１の枢着構造はトップカバー１２と第１の板体１１の枢着構造と同一であるため、ここで詳述しない。また、トップカバー１２の右枠縁１２４及びボトムカバー１３の右枠縁１３４をそれぞれ図２Ａの矢印Ａ、Ｂの方向に移動して、第１の板体１１に近接可能である。
【００２８】
図１、３Ａ、３Ｂを参照されたい。本実施例のコンピュータケース１０はさらに、後方に延在する上、下枠縁１４１、１４２及び右枠縁１４３が設けられた前壁１４を備える。前壁１４の上、下枠縁１４１、１４２はそれぞれ第３の連接棒１４４の一端に枢着され、第３の連接棒１４４の他端は第４の連接棒１４５の一端に枢着され、第４の連接棒１４５の他端は対応する第２のラグ１１２に枢着され、２つの第２のラグ１１２がそれぞれ第１の板体１１前端の上、下端に結合されることで、前壁１４の左側端を第１の板体１１の前端に枢着させ、且つ前壁１４の上、下端をそれぞれトップカバー１２の前枠縁１２１及びボトムカバー１３の前枠縁１３１の内側に位置付けさせる。第４の連接棒１４５と第３の連接棒１４４の枢着端は第２のラグ１１２に対して図３Ｂの矢印Ｅの方向に移動可能であり、第３の連接棒１４４と上枠縁１４１の枢着端は第４の連接棒１４５に対して図３Ｂの矢印Ｆの方向に移動可能であり、上枠縁１４１が第３の連接棒１４４に対して図３Ｂの矢印Ｇの方向に移動可能であり、前壁１４が第１の板体１１の側辺に折畳む時、第１の板体１１との間に比較的大きな間隔を設けさせ、図４Ａに示される第１の支持枠体１６及び第２の支持枠体１７の装着を可能にする。本実施例のコンピュータケース１０はさらに、前方に延在する上、下枠縁１５１、１５２及び右枠縁１５３が設けられた後壁１５を備える。後壁１５の左側端は第１の板体１１の後端に枢着され、且つ後壁１５の上、下端はそれぞれトップカバー１２の後枠縁１２２及びボトムカバー１３の後枠縁１３２の内側に位置付けさせる。後壁１５と第１の板体１１の枢着構造は前壁１４と第１の板体１１の枢着構造と同一であるため、ここで詳述しない。また、前壁１４の左枠縁１４３及び後壁１５の右枠縁１５３を、それぞれ図３Ａの矢印Ｃ、Ｄの方向に移動して、第１の板体１１に近接可能である。
【００２９】
図４Ａ、４Ｂ、４Ｃを参照されたい。本実施例のコンピュータケース１０はさらに、左、右仕切板１６１、１６２が設けられた折畳可能な第１の支持枠体１６を備える。左、右仕切板１６１、１６２の上、下端はそれぞれ２つの枢着用片体１６３、１６４、１６５、１６６に結合され、２つの枢着用片体１６３、１６４及び２つの枢着用片体１６５、１６６の対向面の上、下端は、それぞれ２つの連接棒１６７の両端に枢着され、左仕切板１６１の２つの枢着用片体１６３、１６４の他端はそれぞれ対応する第３のラグ１１３に枢着され、該第３のラグ１１３は第１の板体１１に結合される。本実施例のコンピュータケース１０はさらに、左、右仕切板１７１、１７２が設けられた折畳可能な第２の支持枠体１７を備える。左、右仕切板１７１、１７２の上、下端はそれぞれ２つの枢着用片体１７３、１７４、１７５、１７６に結合され、２つの枢着用片体１７３、１７４及び２つの枢着用片体１７５、１７６の対向面の上、下端は、それぞれ２つの連接棒１７７の両端に枢着され、左仕切板１７１の２つの枢着用片体１７３、１７４の他端はそれぞれ２つの連接棒１７８に枢着され、２つの連接棒１７８の他端はそれぞれ対応する第４のラグ１１４に枢着され、該第４のラグ１１４は第１の板体１１に結合される。第１、第２の支持枠体１６、１７の左仕切板１６１、１７１は、それぞれ第１の板体１１に枢着され、且つ左仕切板１６１、１７１をそれぞれ四本の連接棒１６７、１７７により右仕切板１６２、１７２に枢着される構造にすることで、２つの右仕切板１６２、１７２を図４Ａの矢印Ｈ、Ｉの方向に移動させ、それぞれ左仕切板１６１、１７１に近接させると共に、２つの左仕切板１６１、１７１をそれぞれ第１の板体１１に近接させる。第１の支持枠体１６、第２の支持枠体１７は、何れも前壁１４の内側に位置付けられると共に、第２の支持枠体１７は第１の支持枠体１６の下方に位置付けられる。第１の支持枠体１６及び第２の支持枠体１７は、それぞれ５．２５インチの磁気ディスクドライブ及び３．２５インチの磁気ディスクドライブの装着に用いられる。前記第１、第２の支持枠体１６、１７のそれぞれが第１の板体１１との枢着構造は、通常の簡易な４つの連接棒の連動構造により第１の、第２の支持枠体１６、１７をそれぞれ折畳んで容易に第１の板体１１に近接させ収束するようにする。四本の連接棒１６７、１７７の長さは完全に同一でなくでも良い。
【００３０】
図１、５Ａ、５Ｂ、５Ｃを参照されたい。本発明のトップカバー１２の左、右枠縁１２３、１２４及びボトムカバー１３の左、右枠縁１３３、１３４にはそれぞれ係止穴１２７、１３５が設けられ、２つの側板１８にはそれぞれ係止穴１２７、１３５と対応する係止爪１８１が設けられ、図５Ｂに示されるように係止爪１８１を係止穴１２７、１３５に係り止めさせることにより、図５Ｃに示されるように、２つの側板１８をトップカバー１２及びボトムカバー１３の左、右側辺に結合させることができる。トップカバー１２及びボトムカバー１３の前、後端には前壁１４、後壁１５とそれぞれ対応する穴１９が設けられ、ボルトを穴１９に貫通させることにより、トップカバー１２及びボトムカバー１３の前、後端をそれぞれ前壁１４、後壁１５に固定結合させる。
【００３１】
本発明によるコンピュータケース１０の第１の板体１１は、それぞれ第１、第２の支持枠体１６、１７、前壁１４、後壁１５、トップカバー１２及びボトムカバー１３等の第１の側端、例えば前記各部材の左側端に枢着されることにより、コンピュータケース１０の各部材を固定構造に組立てる前に、連結状態にし、コンパクトな梱包体に収束し易くし、第１の、第２の支持枠体１６、１７、前壁１４、後壁１５、トップカバー１２及びボトムカバー１３等の第２の側端、例えば前記各部材の右側端を便利で迅速に展開し、そして第１の、第２の支持枠体１６、１７、前壁１４、後壁１５の第２の側端をそれぞれトップカバー１２及びボトムカバー１３の第２の側端の間に固定させることにより、コンピュータケース１０を全体として固定構造にする。
【００３２】
図６、７Ａ、７Ｂ、７Ｃを参照されたい。本発明によるもう１つの実施例のコンピュータケース２０は、前記実施例１の構造と略同一で、第１の板体２１を前壁２４、後壁２５、トップカバー２２及びボトムカバー２３のそれぞれに枢着させているが、前壁２４の第１の側端及び第２の側端はそれぞれ第１の支持枠体２６及び第２の支持枠体２７に枢着され、第３の支持枠体２８の四隅と第１の板体２１の間には連接棒２８１を介して枢着される。第３の支持枠体２８は第１の支持枠体２６の下方に位置付けられる。対向する第１の支持枠体２６と第２の支持枠体２７の間は、５．２５インチ磁気ディスクドライブの装着、対向する第２の支持枠体２７と第３の支持枠体２８の間は３．２５インチ磁気ディスクドライブの装着に用いる。本実施例の収束方式は、図７A、７B、７Cに示されるように、最初に第１の支持枠体２６、第２の支持枠体２７を前壁２４に、第３の支持枠体２８を第１の板体２１に当接させ、次いで前壁２４、後壁２５を収束して第１の板体２１に当接させた後、トップカバー２２、ボトムカバー２３を収束して前壁２４、後壁２５の上に当接させ、体積が大幅に縮小されたコンパクトな梱包体構造を完了させうる。
【００３３】
図７Ａ、７Ｂ、７Ｃを参照されたい。本実施例によるコンピュータケース２０は、簡単な改善により、従来の前壁２４、後壁２５、トップカバー２２及びボトムカバー２３を、それぞれ対応するトップカバー、ボトムカバー、前壁、後壁に変身させうる。トップカバー及びボトムカバーの前端は、それぞれ前壁の後方に位置付けられると共に、トップカバー及びボトムカバーの後端は、それぞれ後壁の前方に位置付けられる。組立時、トップカバー、ボトムカバーの第２の側端の前、後端をそれぞれ前壁と後壁の第２の側端の間に固定させる。収束時、最初にトップカバー、ボトムカバーを収束して第１の板体に当接させた後、次いで前壁と後壁を収束してトップカバー及びボトムカバー上に当接させて、体積が大幅に縮小されたコンパクトな梱包体の構造を完了させうる。
【００３４】
本発明によるトップ・ボトムカバー及び前後壁が共に展開収束可能なコンピュータケース構造は、固定的なコンピュータケースの迅速な組立に便利で、消費者自身によるコンピュータ組立の楽しさを向上すると同時に、各部材が枢着されるため、体積の縮小された被梱包体に折畳み、収束され易く、輸送コストの削減及び保管空間の節約に寄与しうる。
【００３５】
上述したものは、単に本発明の技術内容を生かした実施例で、本発明の技術力を有する技術者が本発明に対して行った如何なる修正、変更は、全て本発明が主張した請求の範囲に属し、本発明は開示された実施例に限定されないものである。
【図面の簡単な説明】
【００３６】
【図１】本発明のトップ・ボトムカバー及び前後壁が共に展開収束可能なコンピュータケースの実施例を示す外観図である。
【図２Ａ】本発明の実施例における第１の板体をトップカバー、ボトムカバー及びその他の部分に結合させた構造を示す拡大図である。
【図２Ｂ】本発明の実施例における第１の板体をトップカバー、ボトムカバー及びその他の部分に結合させた構造を示す拡大図である。
【図３Ａ】本発明の実施例における第１の板体を前壁、後壁及びその他の部分に結合させた構造を示す拡大図である。
【図３Ｂ】本発明の実施例における第１の板体を前壁、後壁及びその他の部分に結合させた構造を示す拡大図である。
【図４Ａ】本発明の実施例における第1板体を第１の支持枠体、第2支持枠体及びその他の部分に結合させた構造を示す拡大図である。
【図４Ｂ】本発明の実施例における第1板体を第１の支持枠体、第2支持枠体及びその他の部分に結合させた構造を示す拡大図である。
【図４Ｃ】本発明の実施例における第1板体を第１の支持枠体、第2支持枠体及びその他の部分に結合させた構造を示す拡大図である。
【図５Ａ】本発明の実施例におけるトップカバー、ボトムカバーを側板及びその他の部分に結合させた構造を示す拡大図である。
【図５Ｂ】本発明の実施例におけるトップカバー、ボトムカバーを側板及びその他の部分に結合させた構造を示す拡大図である。
【図５Ｃ】本発明の実施例におけるトップカバー、ボトムカバーを側板及びその他の部分に結合させた構造を示す拡大図である。
【図６】本発明のトップ・ボトムカバー及び前後壁が共に展開収束可能なコンピュータケースのもう1つの実施例を示す外観図である。
【図７Ａ】本発明のもう1つの実施例の収束手順を示す図である。
【図７Ｂ】本発明のもう1つの実施例の収束手順を示す図である。
【図７Ｃ】本発明のもう1つの実施例の収束手順を示す図である。
【符号の説明】
【００３７】
１０、２０      コンピュータケース
１１、２１      第１の板体
１１１          第１のラグ
１１２          第２のラグ
１１３          第３のラグ
１１４          第４のラグ
１２、２２      トップカバー
１２１、１２２  前、後枠縁
１２３、１２４  左、右枠縁
１２５          第１の連接棒
１２６          第２の連接棒
１２７、１３５  係止穴
１３、２３      ボトムカバー
１２１、１２２  前、後枠縁
１３２、１３４  左、右枠縁
１４、２４      前壁
１４１、１４２  上、下枠縁
１４３          右枠縁
１４４          第３の連接棒
１４５          第４の連接棒
１５、２５      後壁
１５１、１５２  上、下枠縁
１５３          右枠縁
１６、２６      第１の支持枠体
１６１、１６２    左、右仕切板
１６７、１７７、１７８、２８１  連接棒
１６３、１６４、１６５、１６６、１７３、１７４、１７５、１７６  枢着用片体
１７、２７      第２の支持枠体
１７１、１７２  左、右仕切板
１８            側板
１９            穴
２８            第３の支持枠体
【図１】
2007280359.tif 000003
【図２Ａ】
2007280359.tif 000004
【図２Ｂ】
2007280359.tif 000005
【図３Ａ】
2007280359.tif 000006
【図３Ｂ】
2007280359.tif 000007
【図４Ａ】
2007280359.tif 000008
【図４Ｂ】
2007280359.tif 000009
【図４Ｃ】
2007280359.tif 000010
【図５Ａ】
2007280359.tif 000011
【図５Ｂ】
2007280359.tif 000012
【図５Ｃ】
2007280359.tif 000013
【図６】
2007280359.tif 000014
【図７Ａ】
2007280359.tif 000015
【図７Ｂ】
2007280359.tif 000016
【図７Ｃ】
2007280359.tif 000017